(57)【要約】【課題】  異常判定を行うためのパラメータの設定が容易な異常診断装置を提供する。【解決手段】  検出対象種類識別子と物理量種類識別子とを組み合わせた計測ポイント名称と計測値とを対応付けて記憶する測定値記憶部３と、計測値を判定するための判定基準を記憶する判定基準記憶部５と、物理量種類識別子の表す計測値に固有の固有判定基準を予め記憶している固有情報記憶部４と、物理量種類識別子の固有判定基準を、当該物理量種類識別子を含む計測ポイント名称と対応付けて判定基準として判定基準記憶部５に記憶させる判定基準初期設定部１０と、測定値記憶部３により記憶されている計測値を、測定値記憶部３により当該計測値と対応付けられている計測ポイント名称と対応付けて判定基準記憶部５により記憶されている判定基準に基づいて当該計測値が正常な値であるか否かを判定する判定部８とを備えた。【選択図】      図１
2005284405.tif 000002
【特許請求の範囲】
【請求項１】
検出対象の種類を表す検出対象種類識別子と当該検出対象から検出する物理量の種類を表す物理量種類識別子とを組み合わせて成る計測ポイント名称を、当該検出対象から検出した物理量の計測値に対応付けて記憶する測定値記憶部と、
前記物理量種類識別子に対応する物理量に対し当該物理量の計測値が正常値であるか否かを判定するための当該物理量に固有な固有判定基準を、当該物理量種類識別子に対応付けて予め記憶する固有判定基準記憶部と、
前記検出対象から実測された物理量の計測値が正常値であるか否かを判定するための判定基準を、計測ポイント名称に対応付けて記憶する計測値判定基準記憶部と、
前記計測値判定基準記憶部に記憶される計測ポイント名称に含まれる物理量種類識別子に対応する固有判定基準を前記固有判定基準記憶部から検索し、当該検索した固有判定基準を当該計測ポイント名称に対応する判定基準として設定して当該計測値判定基準記憶部に記憶させる判定基準初期設定部と、
前記測定値記憶部に記憶される物理量の計測値を、前記計測値判定基準記憶部における当該物理量の計測値に対応する計測ポイント名称に対する判定基準に基づいて、正常値であるか否かを判定する判定部とを備えることを特徴とする異常診断装置。
【請求項２】
前記固有判定基準記憶部は、前記検出対象種類識別子により表される種類の検出対象において検出された物理量の計測値を統計学的仮説検定するための有意確率を、当該検出対象種類識別子と対応付けてさらに予め記憶するものであり、
前記判定基準初期設定部は、前記計測値判定基準記憶部に記憶される計測ポイント名称に対応する有意確率を前記固有判定基準記憶部から検索し、当該検索した有意確率を当該計測ポイント名称に対応する判定基準として設定して、さらに前記計測値判定基準記憶部に記憶させるものであり、
前記判定部は、前記判定を、統計学的仮説検定に基づき行うものであることを特徴とする請求項１記載の異常診断装置。
【請求項３】
正常状態において前記検出対象から検出された物理量の計測値を記憶する正常履歴データ記憶部と、
前記正常履歴データ記憶部に記憶された計測値と前記計測値判定基準記憶部により記憶された判定基準とに基づいて、当該計測値が正常な値であるか否かを判定し、正常な値ではない旨の判定結果が得られた場合、当該判定に用いた判定基準を、判定をゆるめるべく変更する判定基準調整部とを、さらに備えることを特徴とする請求項１又は２記載の異常診断装置。
【請求項４】
前記測定値記憶部により記憶されている計測値及び、前記測定値記憶部により当該計測値と対応付けて記憶されている計測ポイント名称との間で前記計測値判定基準記憶部により対応付けて記憶されている判定基準をグラフ表示するグラフ表示部と、
当該判定基準の厳しさを変化させるユーザからの基準変更指示を受け付けるスライダと、
前記スライダによって、前記基準変更指示が受け付けられた場合、当該基準変更指示に応じて前記判定基準の厳しさを変化させるパラメータ設定部とを備えたことを特徴とする請求項１〜３のいずれかに記載の異常診断装置。
【請求項５】
前記測定値記憶部により記憶されている計測値をグラフ表示するグラフ表示部と、
前記測定値記憶部により当該計測値と対応付けて記憶されている計測ポイント名称との間で前記計測値判定基準記憶部により対応付けて記憶されている有意確率を変化させるユーザからの有意確率変更指示を受け付ける有意確率スライダと、
前記有意確率スライダによって、前記有意確率変更指示が受け付けられた場合、当該基準変更指示に応じて前記判定基準に含まれる有意確率を変化させる有意確率設定部とを備え、
前記統計学的仮説検定は、スミルノフグラブス検定であることを特徴とする請求項２又は３記載の異常診断装置。
【請求項６】
前記測定値記憶部は、複数の検出対象から検出された物理量の計測値を記憶するものであり、
前記測定値記憶部により当該複数の計測値とそれぞれ対応付けられている計測ポイント名称との間で前記計測値判定基準記憶部により対応付けて記憶されている判定基準の厳しさを、それぞれ変化させるユーザからの基準変更指示を受け付ける複数の個別スライダと、
当該複数の判定基準の厳しさを、一括して変化させるユーザからの一括変更指示を受け付ける一のマスタスライダと、
前記マスタスライダによって前記一括変更指示が受け付けられた場合、当該一括変更指示に応じて、当該複数の判定基準を予め定められた比率に基づき変化させると共に、前記複数の個別スライダをそれぞれ予め定められた比率に基づき動かす一括パラメータ設定部とを備えたことを特徴とする請求項１〜３のいずれかに記載の異常診断装置。
【請求項７】
前記判定部は、前記計測値が正常な値であるか否かを判定する判定条件を複数有するとともに、前記計測値が正常な値であるか否かを判定する場合に、それぞれ複数の判定条件の組み合わせにより当該判定を行うものであり、
前記複数の判定条件を、一括して変化させるユーザからの一括条件変更指示を受け付ける一の条件変更スライダと、
前記条件変更スライダによって、前記一括条件変更指示が受け付けられた場合、当該一括条件変更指示に応じて、前記複数の判定条件をそれぞれについて予め定められた比率に基づき変化させる一括判定条件設定部とを備えたことを特徴とする請求項１〜３のいずれかに記載の異常診断装置。
【請求項８】
前記測定値記憶部は、複数の検出対象から検出された物理量の計測値を記憶するものであり、
予め設定された所定の期間内に、前記判定部によって前記計測値がそれぞれ正常ではないと判定された回数をそれぞれ計数する計数部と、
前記計数部により計数された回数が、異常判定を行うための基準回数である異常判定回数を超えた場合に異常判定を行う異常判定部と、
前記複数の計測値について、それぞれ前記計数部により計数された回数の、前記異常判定回数に対する比率を算出する回数比率算出部と、
前記回数比率算出部によって算出された比率が大きい順に、当該計測値の計測ポイント名称と当該算出された比率とを対応させて表示する回数ヒット率表示部とをさらに備えることを特徴とする請求項１〜７のいずれかに記載の異常診断装置。
【請求項９】
前記測定値記憶部は、複数の検出対象から検出された物理量の計測値を記憶するものであり、
予め設定された所定の期間内に、前記複数の計測値における各計測値毎の平均値を算出する平均値算出部と、
前記複数の計測値について、それぞれ前記計測値判定基準記憶部に記憶されている判定基準により示される正常範囲を超えた値の、前記平均値算出部により算出された平均値に対する比率を算出する平均比率算出部と、
前記回数比率算出部によって算出された比率が大きい順に、当該計測値の計測ポイント名称と当該算出された比率とを対応させて表示する回数ヒット率表示部とをさらに備えることを特徴とする請求項１〜７のいずれかに記載の異常診断装置。
【発明の詳細な説明】
【技術分野】
【０００１】
本発明は、所定の検出対象から検出された物理量の計測値の異常を診断する異常診断装置に関する。
【背景技術】
【０００２】
従来、例えばビルの空調システムや、上下水道処理プラント等の各種システムにおいて、システムの各部に設けられた数多くのセンサから得られた計測値、例えば温度、圧力、電力、ガス濃度、等の物理量を表す計測値を監視し、これらの物理量が所定の判定条件を満たした場合に異常と判定することにより、例えば装置の故障等を検出するようにした異常診断装置が知られている。このような異常判定を行うための判定条件としては、例えば、計測値が所定の判定基準値の範囲を設定回数だけ連続して超えたときに異常と判定するもの（例えば、特許文献１参照。）、計測値の変化のトレンドに基づいて異常判定を行うもの（例えば、特許文献２参照。）、計測値を統計的に処理することにより異常判定を行うもの（例えば、特許文献３参照。）、あるいは、装置故障時に得られる計測値を異常状態量として予め登録しておき、計測値がこの異常状態量に近い値を示した場合に異常判定を行うもの（例えば、特許文献４参照。）等が知られている。
【特許文献１】特開平９−３３５１４号公報
【特許文献２】特開平１０−２６０７２２号公報
【特許文献３】特開平２００３−２０８２１９号公報
【特許文献４】特開２００２−６２９２８号公報
【発明の開示】
【発明が解決しようとする課題】
【０００３】
ところで、上述のような異常診断装置においては、異常判定を行うための判定基準値や、判定条件を設定するために、数多くのパラメータを設定する必要があるため、パラメータの設定作業が煩雑となる不都合があった。特に、近年、ビルのＩＴ（Information Technology）化が進み、計測ポイントが例えば数万点にもなっているため、このようなパラメータ設定における作業工数の増大が顕著である。また、このようなパラメータをシステムに設定するためには、システムの制御モデルや統計等の専門知識が必要となるため、例えばビルの空調システムにおけるビルの管理人等、専門知識を有さない管理者がパラメータを設定することは困難であるという不都合があった。
【０００４】
本発明は、このような問題に鑑みて為された発明であり、異常判定を行うためのパラメータの設定が容易な異常診断装置を提供することを目的とする。
【課題を解決するための手段】
【０００５】
上述の目的を達成するために、本発明に係る異常診断装置は、検出対象の種類を表す検出対象種類識別子と当該検出対象から検出する物理量の種類を表す物理量種類識別子とを組み合わせて成る計測ポイント名称を、当該検出対象から検出した物理量の計測値に対応付けて記憶する測定値記憶部と、前記物理量種類識別子に対応する物理量に対し当該物理量の計測値が正常値であるか否かを判定するための当該物理量に固有な固有判定基準を、当該物理量種類識別子に対応付けて予め記憶する固有判定基準記憶部と、前記検出対象から実測された物理量の計測値が正常値であるか否かを判定するための判定基準を、計測ポイント名称に対応付けて記憶する計測値判定基準記憶部と、前記計測値判定基準記憶部に記憶される計測ポイント名称に含まれる物理量種類識別子に対応する固有判定基準を前記固有判定基準記憶部から検索し、当該検索した固有判定基準を当該計測ポイント名称に対応する判定基準として設定して当該計測値判定基準記憶部に記憶させる判定基準初期設定部と、前記測定値記憶部に記憶される物理量の計測値を、前記計測値判定基準記憶部における当該物理量の計測値に対応する計測ポイント名称に対する判定基準に基づいて、正常値であるか否かを判定する判定部とを備えることを特徴としている。
【０００６】
また、上述の異常診断装置において、前記固有判定基準記憶部は、前記検出対象種類識別子により表される種類の検出対象において検出された物理量の計測値を統計学的仮説検定するための有意確率を、当該検出対象種類識別子と対応付けてさらに予め記憶するものであり、前記判定基準初期設定部は、前記計測値判定基準記憶部に記憶される計測ポイント名称に対応する有意確率を前記固有判定基準記憶部から検索し、当該検索した有意確率を当該計測ポイント名称に対応する判定基準として設定して、さらに前記計測値判定基準記憶部に記憶させるものであり、前記判定部は、前記判定を、統計学的仮説検定に基づき行うものであることを特徴としている。
【０００７】
そして、上述の異常診断装置において、正常状態において前記検出対象から検出された物理量の計測値を記憶する正常履歴データ記憶部と、前記正常履歴データ記憶部に記憶された計測値と前記計測値判定基準記憶部により記憶された判定基準とに基づいて、当該計測値が正常な値であるか否かを判定し、正常な値ではない旨の判定結果が得られた場合、当該判定に用いた判定基準を、判定をゆるめるべく変更する判定基準調整部とを、さらに備えることを特徴としている。
【０００８】
さらに、上述の異常診断装置において、前記測定値記憶部により記憶されている計測値及び、前記測定値記憶部により当該計測値と対応付けて記憶されている計測ポイント名称との間で前記計測値判定基準記憶部により対応付けて記憶されている判定基準をグラフ表示するグラフ表示部と、当該判定基準の厳しさを変化させるユーザからの基準変更指示を受け付けるスライダと、前記スライダによって、前記基準変更指示が受け付けられた場合、当該基準変更指示に応じて前記判定基準の厳しさを変化させるパラメータ設定部とを備えたことを特徴としている。
【０００９】
また、上述の異常診断装置において、前記測定値記憶部により記憶されている計測値をグラフ表示するグラフ表示部と、前記測定値記憶部により当該計測値と対応付けて記憶されている計測ポイント名称との間で前記計測値判定基準記憶部により対応付けて記憶されている有意確率を変化させるユーザからの有意確率変更指示を受け付ける有意確率スライダと、前記有意確率スライダによって、前記有意確率変更指示が受け付けられた場合、当該基準変更指示に応じて前記判定基準に含まれる有意確率を変化させる有意確率設定部とを備え、前記統計学的仮説検定は、スミルノフグラブス検定であることを特徴としている。
【００１０】
そして、上述の異常診断装置において、前記測定値記憶部は、複数の検出対象から検出された物理量の計測値を記憶するものであり、前記測定値記憶部により当該複数の計測値とそれぞれ対応付けられている計測ポイント名称との間で前記計測値判定基準記憶部により対応付けて記憶されている判定基準の厳しさを、それぞれ変化させるユーザからの基準変更指示を受け付ける複数の個別スライダと、当該複数の判定基準の厳しさを、一括して変化させるユーザからの一括変更指示を受け付ける一のマスタスライダと、前記マスタスライダによって前記一括変更指示が受け付けられた場合、当該一括変更指示に応じて、当該複数の判定基準を予め定められた比率に基づき変化させると共に、前記複数の個別スライダをそれぞれ予め定められた比率に基づき動かす一括パラメータ設定部とを備えたことを特徴としている。
【００１１】
そして、上述の異常診断装置において、前記判定部は、前記計測値が正常な値であるか否かを判定する判定条件を複数有するとともに、前記計測値が正常な値であるか否かを判定する場合に、それぞれ複数の判定条件の組み合わせにより当該判定を行うものであり、
前記複数の判定条件を、一括して変化させるユーザからの一括条件変更指示を受け付ける一の条件変更スライダと、前記条件変更スライダによって、前記一括条件変更指示が受け付けられた場合、当該一括条件変更指示に応じて、前記複数の判定条件をそれぞれについて予め定められた比率に基づき変化させる一括判定条件設定部とを備えたことを特徴としている。
【００１２】
さらに、上述の異常診断装置において、前記測定値記憶部は、複数の検出対象から検出された物理量の計測値を記憶するものであり、予め設定された所定の期間内に、前記判定部によって前記計測値がそれぞれ正常ではないと判定された回数をそれぞれ計数する計数部と、前記計数部により計数された回数が、異常判定を行うための基準回数である異常判定回数を超えた場合に異常判定を行う異常判定部と、前記複数の計測値について、それぞれ前記計数部により計数された回数の、前記異常判定回数に対する比率を算出する回数比率算出部と、前記回数比率算出部によって算出された比率が大きい順に、当該計測値の計測ポイント名称と当該算出された比率とを対応させて表示する回数ヒット率表示部とをさらに備えることを特徴としている。
【００１３】
また、上述の異常診断装置において、前記測定値記憶部は、複数の検出対象から検出された物理量の計測値を記憶するものであり、予め設定された所定の期間内に、前記複数の計測値における各計測値毎の平均値を算出する平均値算出部と、前記複数の計測値について、それぞれ前記計測値判定基準記憶部に記憶されている判定基準により示される正常範囲を超えた値の、前記平均値算出部により算出された平均値に対する比率を算出する平均比率算出部と、前記回数比率算出部によって算出された比率が大きい順に、当該計測値の計測ポイント名称と当該算出された比率とを対応させて表示する回数ヒット率表示部とをさらに備えることを特徴としている。
【発明の効果】
【００１４】
このような構成の異常診断装置によれば、検出対象の種類を表す検出対象種類識別子と当該計測値の種類を表す物理量種類識別子とを組み合わせて成る計測ポイント名称と、検出対象から検出された物理量の計測値とが、測定値記憶部により対応付けられて記憶される。また、判定基準初期設定部によって、計測値判定基準記憶部に記憶される計測ポイント名称に含まれる物理量種類識別子に対応する固有判定基準が、固有判定基準記憶部から検索され、当該検索された固有判定基準が当該計測ポイント名称に対応する判定基準として設定され当該計測値判定基準記憶部に記憶される。そして、判定部によって、測定値記憶部に記憶される物理量の計測値が、計測値判定基準記憶部における当該物理量の計測値に対応する計測ポイント名称に対する判定基準に基づいて、正常値であるか否か判定される。
【００１５】
これにより、判定基準初期設定部によって、固有判定基準記憶部に予め記憶されている固有判定基準に基づいて、計測値が正常な値であるか否かを判定するための基準である判定基準が設定されるので、異常判定を行うためのパラメータの設定が容易となる。
【発明を実施するための最良の形態】
【００１６】
以下、本発明に係る実施形態を図面に基づいて説明する。なお、各図において同一の符号を付した構成は、同一の構成であることを示し、その説明を省略する。
【００１７】
（第１実施形態）
まず、本発明の第１の実施形態に係る異常診断装置について説明する。図１は、本発明の第１の実施形態に係る異常診断装置の構成の一例を説明するためのブロック図である。図１に示す異常診断装置１は、例えばパーソナルコンピュータ（図略）を用いて構成されており、ユーザの操作入力を受け付けるキーボード（図略）、マウス１２、例えばＣＲＴ（Cathode Ray Tube）や液晶表示ディスプレー等からなるグラフ表示部である表示部２、正常履歴データ記憶部を含む測定値記憶部３、固有判定基準記憶部である固有情報記憶部４、及び計測値判定基準記憶部である判定基準記憶部５を備える。測定値記憶部３、固有情報記憶部４、及び判定基準記憶部５は、例えばハードディスク装置を用いて構成されている。そして、パーソナルコンピュータが所定の制御プログラムを実行することにより、データ取得部６、判断値計算部７、判定部８、判定基準調整部９、判定基準初期設定部１０、及びパラメータ設定部１１として機能する。
【００１８】
データ取得部６には、例えば、ビル内の空調設備等の諸設備に関わる水温、空気温度、及び空調制御に関わる外気温度、日射量、二酸化炭素濃度等の物理量を検出する複数のセンサ１３が接続されている。これらセンサ１３による物理量の検出対象は、例えばファン・コイル・ユニット（以下、「ＦＣＵ」と略記する。）、ヒートポンプ、発熱機器、等の装置や、ビル内の各室等の所定の空間区画である。そして、データ取得部６は、センサ１３により検出された物理量の計測値毎に、その物理量の種類を表す物理量種類識別子を付与し、検出対象となる装置等毎に、その検出対象の種類を表す検出対象種類識別子を付与し、さらにその装置等における計測値の検出位置を表す位置識別子を付与する。物理量種類識別子、検出対象種類識別子、及び位置識別子は、例えば記号列より成り、検出対象種類識別子は、例えば室の検出対象種類識別子は「ＲＭ」、ＦＣＵの検出対象種類識別子は「ＦＣＵ」、ヒートポンプの検出対象種類識別子は「ＨＰ」、発熱機器の検出対象種類識別子は「ＨＳ」とされている。位置識別子は、例えば各装置への入り口は「ｉｎ」、出口は「ｏｕｔ」とされている。物理量種類識別子は、例えば水温の物理量種類識別子は「ＴＷ」、空気温度の物理量種類識別子は「ＴＡ」、外気温度の物理量種類識別子は「ＤＢＯ」、日射量の物理量種類識別子は「ＳＯＬ」、二酸化炭素濃度は「ＣＡ」とされている。
【００１９】
そして、データ取得部６は、検出対象種類識別子、物理量種類識別子、及び位置識別子を組み合わせることにより、例えば「１号室の二酸化炭素濃度（ｐｐｍ）」に計測ポイント名「ＲＭ［１］＿ＣＡ」を付与し、「ヒートポンプ１号機の入口で検出された水温（°Ｃ）」に計測ポイント名「ＨＰ［１］＿ＴＷｉｎ」を付与し、「二階ファンコイルユニットの出口で検出された空気温度（°Ｃ）」に計測ポイント名「ＦＣＵ［２ｆ］＿ＴＡｏｕｔ」を付与し、「外気温度（°Ｃ）」に計測ポイント名「ＤＢＯ」を付与し、「日射量（Ｗ／ｍ2）」に計測ポイント名「ＳＯＬ」を付与し、それぞれ計測ポイント名と、各センサにより検出された物理量の計測値とを対応付けた測定結果情報を、測定値記憶部３へ記憶させる。データ取得部６は、例えば１０分間隔で、測定結果情報をその物理量を検出した日時を示す情報と関連付けて測定値記憶部３へ記憶させる。
【００２０】
固有情報記憶部４には、図２に示すように、物理量種類識別子である識別子情報４２と、識別子情報４２の表す計測値に固有の固有判定基準である下限値情報４３及び上限値情報４４とを対応させた情報が、固有判定情報４１として予め記憶されている。図２は、固有情報記憶部４に記憶されている固有判定情報４１の一例を示す図である。図２に示す固有判定情報４１は、識別子情報４２として「．＊＿ＣＡ」、「ＲＭ．＊」「ＨＰ．＊」、「ＤＢＯ」、「ＳＯＬ」、「ＦＣＵ．＊」、「．＊＿ＴＷ．＊」、及び「．＊＿ＴＡ．＊」を含んでいる。
【００２１】
識別子情報４２は、正規表現の文字列で表現されており、例えば「．」は任意の１文字を表し、「＊」は０文字以上の任意の文字列を表している。従って、例えば「．＊＿ＣＡ」は任意の箇所の二酸化炭素濃度に関する計測ポイント名と適合し、「ＨＰ．＊」は、ヒートポンプに関する計測ポイント名と適合し、「．＊＿ＴＷ．＊」は任意の機器の水温に関する計測ポイント名と適合し、「．＊＿ＴＡ．＊」は任意の機器の空気温度に関する計測ポイント名と適合する。
【００２２】
固有判定情報４１において、識別子情報４２における「．＊＿ＣＡ」、「ＤＢＯ」、「ＳＯＬ」、「．＊＿ＴＷ．＊」、及び「．＊＿ＴＡ．＊」には、それぞれ下限値情報４３、及び上限値情報４４が対応付けられている。下限値情報４３は、各識別子情報４２で表される物理量に固有の判定基準における下限値を表す情報である。上限値情報４４は、各識別子情報４２で表される物理量に固有の判定基準における上限値を表す情報である。ここで、「ＨＰ．＊」に対して下限値情報４３、及び上限値情報４４が対応付けられていないのは、「ＨＰ．＊」により示される「ヒートポンプの計測値」であるという情報だけからでは、どのような計測がされているか、例えば水温なのか、空気温度なのか、判別できないからである。
【００２３】
判定基準初期設定部１０は、測定値記憶部３に記憶された測定結果情報について正常な値であるか否かを判定するための基準である判定基準の初期値を生成して判定基準記憶部５へ記憶させる。図３は、判定基準を示す判定基準情報の一例を示す図である。図３に示す判定基準情報５１は、計測ポイント名５２、判定基準である下限値情報５３、及び判定基準である上限値情報５４を含んで構成されている。下限値情報５３及び上限値情報５４は、それぞれ計測ポイント名５２によって特定される物理量に対する判定基準における下限値及び上限値を表す情報である。
【００２４】
判定基準情報５１は、初期状態では、図３（ａ）に示すように、計測ポイント名５２として「ＲＭ［１］＿ＣＡ」、「ＨＰ［１］＿ＴＷｉｎ」、「ＦＣＵ［２ｆ］＿ＴＡｏｕｔ」、「ＤＢＯ」、及び「ＳＯＬ」を含んでいる。そして、各計測ポイント名５２は、下限値情報５３、及び上限値情報５４とが対応付けられていない状態となっている。
【００２５】
判定基準初期設定部１０は、固有情報記憶部４に記憶されている固有判定情報４１に基づいて、判定基準記憶部５に記憶されている判定基準情報５１における各計測ポイント名５２と、下限値情報５３及び上限値情報５４とを対応付けて記憶させる。これにより、図３（ｂ）に示す判定基準情報５１が判定基準記憶部５に記憶される。
【００２６】
判定基準調整部９は、予め、例えばビルの空調設備等が正常に動作している場合に、データ取得部６によって取得され、測定値記憶部３によって記憶されている測定結果情報を用いて、この正常な測定結果情報が、判定基準記憶部５に記憶されている判定基準情報５１の下限値情報５３と上限値情報５４とで示される正常値の範囲に入っているか否かを判定する。そして、この正常な測定結果情報が、正常ではないと判定された場合には判定基準情報５１が厳しすぎると考えられるので、判定基準調整部９は、後述のように判定基準情報５１について判定をゆるめるべく変更する。
【００２７】
パラメータ設定部１１は、判定基準記憶部５に記憶されている判定基準情報５１を、ユーザが設定するための設定部である。図４は、パラメータ設定部１１によって表示部２に表示される設定画面２１の一例を示す画面図である。例えば、ユーザが二酸化炭素濃度の判定基準を調節する場合、パラメータ設定部１１は、過去数日分、例えば１２月１４日から１２月３０日の１０時における、計測ポイント名「ＲＭ［１］＿ＣＡ」の測定結果情報を、測定値記憶部３から読み出して、設定画面２１に折れ線グラフ２２で表示させる。また、パラメータ設定部１１は、判定基準記憶部５に記憶されている判定基準情報５１から、計測ポイント名５２「ＲＭ［１］＿ＣＡ」と対応付けられている下限値情報５３「６００」と、上限値情報５４「９５０」とを読み出して、それぞれ下限値ポインタ２３、上限値ポインタ２４として設定画面２１に表示させる。さらに、パラメータ設定部１１は、判定基準情報５１の厳しさを変化させるユーザからの基準変更指示を受け付けるスライダ２５を設定画面２１に表示させる。
【００２８】
そして、パラメータ設定部１１は、ユーザによってマウス１２を用いてスライダ２５が動かされたことを受け付けることにより、その動かされた移動量に応じた基準変更指示を受け付ける。さらに、パラメータ設定部１１は、ユーザから受け付けた基準変更指示に応じて計測ポイント名５２「ＲＭ［１］＿ＣＡ」と対応付けられている下限値情報５３、及び上限値情報５４を変更したり、あるいはその他の判定条件、例えば連続して何回異常値が現れた場合に異常発報するかを設定する連続異常回数設定等を変更したりする。
【００２９】
判断値計算部７は、測定値記憶部３に記憶されている測定結果情報に基づいて、過去の一定期間、例えば過去１２日間における同時刻、あるいは同時間帯等の一定の時間帯に検出された測定結果情報における物理量の標本平均Ｘｔave、及び標準偏差σｔを算出する。判定部８は、測定値記憶部３に記憶されている測定結果情報、パラメータ設定部１１によって変更された下限値情報５３及び上限値情報５４、あるいはその他の判定条件として予め設定されている連続異常回数設定等に基づいて、測定結果情報の異常判定を行い、その判定結果を表示部２へ表示させる。
【００３０】
次に、このように構成された異常診断装置１の動作について説明する。図５は、図１に示す異常診断装置１の動作の一例を示すフローチャートである。まず、ステップＳ１において、判定基準初期設定部１０によって、判定基準記憶部５に記憶されている初期状態の判定基準情報５１（図３（ａ））に、下限値情報５３及び上限値情報５４を対応付けて記憶させる判定基準初期設定処理が行われる。
【００３１】
図６は、ステップＳ１における判定基準初期設定部１０による判定基準初期設定処理の詳細を示すフローチャートである。まず、判定基準初期設定部１０によって、判定基準記憶部５に記憶されている初期状態の判定基準情報５１における先頭の計測ポイント名５２、すなわち図３（ａ）における「ＲＭ［１］＿ＣＡ」が、ポイント名称変数Ｐに代入される（ステップＳ１０１）。次に、判定基準初期設定部１０によって、固有情報記憶部４に記憶されている固有判定情報４１における先頭の識別子情報４２、すなわち図２における「．＊＿ＣＡ」が、正規表現変数Ｒに代入される（ステップＳ１０２）。
【００３２】
次に、判定基準初期設定部１０によって、正規表現変数Ｒにポイント名称変数Ｐが適合するかどうかが確認され、適合すれば（ステップＳ１０３でＹＥＳ）、図２に示す固有判定情報４１によって正規表現変数Ｒで示される識別子情報４２に対応付けられている下限値情報４３と上限値情報４４とが、判定基準情報５１におけるポイント名称変数Ｐで示される計測ポイント名５２に対応する下限値情報５３と上限値情報５４として、判定基準記憶部５に記憶される（ステップＳ１０４）一方、適合しなければ（ステップＳ１０３でＮＯ）、次の識別子情報４２について適合確認を行うべくステップＳ１０５へ移行する。
【００３３】
今、正規表現変数Ｒは「．＊＿ＣＡ」、ポイント名称変数Ｐは「ＲＭ［１］＿ＣＡ」であるので、ポイント名称変数Ｐは正規表現変数Ｒに適合し（ステップＳ１０３でＹＥＳ）、固有判定情報４１によって識別子情報４２「．＊＿ＣＡ」に対応付けられている下限値情報４３「６００」と上限値情報４４「９５０」とが、判定基準情報５１における計測ポイント名５２「ＲＭ［１］＿ＣＡ」に対応する下限値情報５３「６００」と上限値情報５４「９５０」として、判定基準記憶部５に記憶される。
【００３４】
次に、ステップＳ１０５において、判定基準初期設定部１０によって、固有情報記憶部４に記憶されている固有判定情報４１における全ての識別子情報４２について、適合確認がされたか否かが確認され、全ての識別子情報４２について適合確認がされていなければ（ステップＳ１０５でＮＯ）、固有情報記憶部４に記憶されている固有判定情報４１における次の識別子情報４２が正規表現変数Ｒに代入され（ステップＳ１０６）、再びステップＳ１０３〜Ｓ１０５の処理が繰り返される一方、全ての識別子情報４２について適合確認がされていれば（ステップＳ１０５でＹＥＳ）、ポイント名称変数Ｐに代入されている計測ポイント名５２についての適合確認が終了したのでステップＳ１０７へ移行する。
【００３５】
そして、ステップＳ１０７において、判定基準初期設定部１０によって、判定基準記憶部５に記憶されている計測ポイント名５２について適合確認が終了したか否かが確認され、終了していなければ（ステップＳ１０７でＮＯ）、判定基準記憶部５に記憶されている判定基準情報５１における次の計測ポイント名５２がポイント名称変数Ｐに代入され（ステップＳ１０８）、再びステップＳ１０２〜Ｓ１０７の処理が繰り返される一方、全ての計測ポイント名５２について適合確認がされていれば（ステップＳ１０７でＹＥＳ）、判定基準情報５１における下限値情報５３と上限値情報５４とが全て判定基準記憶部５に記憶され、判定基準初期設定処理が終了する。
【００３６】
以上、予め、図２に示すように、識別子情報４２と、識別子情報４２の表す計測値に固有の判定基準である下限値情報４３及び上限値情報４４とを対応させた固有判定情報４１を固有情報記憶部４に記憶させておき、ステップＳ１０１〜Ｓ１０８における判定基準初期設定処理を判定基準初期設定部１０に実行させることにより、計測ポイント名５２にそれぞれ対応する下限値情報５３、及び上限値情報５４を、図３（ｂ）に示すように、判定基準記憶部５に記憶させることができる。従って、ユーザが各計測ポイント名５２に対応する判定基準である下限値情報５３及び上限値情報５４を個々に設定する必要がなく、識別子情報４２の組み合わせによる命名規則に従って各センサ１３から得られる物理量に計測ポイント名５２を付与することにより、判定基準初期設定部１０によって異常判定を行うためのパラメータの初期設定を行わせることができ、パラメータの初期設定が容易となる。
【００３７】
また、識別子情報４２は、正規表現によって表されているため、例えばビル毎の設備の違いによる影響を受けることが少ない。例えば、計測ポイント名５２を「ＦＣＵ［１ｆ，ｓｅ］＿ＴＷｉｎ（１ｆ，ｓｅ：一階東南）と名付けても、「ＦＣＵ［事務所１］＿ＴＷｉｎ」と名付けても、共に同じ正規表現「ＦＣＵ．＊」と適合するので、計測ポイント名５２として用いることのできる名称の自由度が大きい。
【００３８】
また、固有判定情報４１をより詳細に、例えば「．＊＿ＴＷ．＊」ではなく、「．＊＿ＴＷｉｎ．＊」、「．＊＿ＴＷｏｕｔ．＊」とすれば、入口水温と出口水温とについて、それぞれ下限値情報４３及び上限値情報４４を異なった値に設定することができ、より細分化された判定基準を設定することができる。あるいは、例えば一般に一階の空調機器はドアの開け閉めなどの影響により計測値のばらつきが大きい等の事情があれば、固有情報記憶部４に、固有判定情報４１として識別子情報４２「ＦＣＵ［１ｆ．＊］．＊」を記憶させ、一階の空調機器に固有の判定基準を下限値情報４３及び上限値情報４４として記憶させるようにしてもよい。
【００３９】
図５に戻って、次に、判定基準調整部９によって、判定基準記憶部５に記憶されている判定基準情報５１を自動的に調整するべく判定基準調整処理が行われる（ステップＳ２）。固有情報記憶部４に記憶されている固有判定情報４１は、例えば水温や空気温度等の物理量に対する標準的な判定基準を表すものとなっている。一方、ビルの空調設備等では、例えば各ビルの個別事情によって、固有判定情報４１に記憶されている下限値情報４３、上限値情報４４をそのまま計測値の判定に用いた場合、判定基準が厳しすぎる結果、計測値が正常であるにも関わらず、異常判定してしまうことが考えられる。
【００４０】
そこで、ステップＳ２において、判定基準調整部９によって、判定基準記憶部５に記憶された判定基準情報５１を自動的に調整するべく判定基準調整処理が行われる。図７は、ステップＳ２における判定基準調整処理の詳細を示すフローチャートである。測定値記憶部３には、予め、ビルの空調設備等が正常に動作しているときにデータ取得部６によって取得された正常な測定結果情報が記憶されている。
【００４１】
まず、判定基準調整部９によって、判定基準記憶部５に記憶されている判定基準情報５１における先頭の計測ポイント名５２、すなわち図３（ｂ）における「ＲＭ［１］＿ＣＡ」が、ポイント名称変数Ｐに代入される（ステップＳ２０１）。次に、判定基準調整部９によって、測定値記憶部３に記憶されている正常な測定結果情報が読み出され、判定基準情報５１における計測ポイント名５２「ＲＭ［１］＿ＣＡ」の判定基準である下限値情報５３及び上限値情報５４に基づいて、測定値記憶部３から読み出された正常な測定結果情報の異常判定処理が行われる（ステップＳ２０２）。ステップＳ２０２における異常判定処理は、例えば後述するステップＳ４における異常判定処理が用いられる。
【００４２】
そして、判定基準調整部９によって正常な測定結果情報が異常と判定された場合（ステップＳ２０３でＹＥＳ）、判定基準情報５１が厳しすぎると考えられるので、判定基準調整部９によって判定基準情報５１が緩めに変更、例えば判定基準調整部９に予め設定されたルールに従い「ＲＭ［１］＿ＣＡ」の下限値情報５３が「５０」減算されて「６００」から「５５０」へ変更され（ステップＳ２０４）、再びステップＳ２０２，Ｓ２０３の処理が行われる一方、判定基準調整部９によって異常と判定されなければ（ステップＳ２０３でＮＯ）、計測ポイント名５２「ＲＭ［１］＿ＣＡ」についての異常判定処理が終了したのでステップＳ２０５へ移行する。
【００４３】
なお、ステップＳ２０４において、ステップＳ２０２における異常判定処理が、例えば統計学的仮説検定を用いて行われる場合には、判定基準として用いられる有意確率を例えば０．０１ステップごとに緩める等のルールを判定基準調整部９に予め設定しておくことにより、有意確率を０．０１下げることにより判定基準を緩めるようにしてもよく、それぞれ異常判定処理に用いられる判定基準に応じて適宜、判定基準を緩めるように変更すればよい。また、判定基準を厳しくする場合にも同様に、下限値情報５３、上限値情報５４、及び有意確率等の判定基準を厳しくするためのルールを判定基準調整部９に予め設定しておき、判定基準調整部９によって予め設定されたルールに従って判定基準が変更されるようにしてもよい。
【００４４】
次に、ステップＳ２０５において、判定基準調整部９によって、判定基準記憶部５に記憶されている全ての計測ポイント名５２について異常判定処理が終了したか否かが確認され、終了していなければ（ステップＳ２０５でＮＯ）、判定基準記憶部５に記憶されている判定基準情報５１における次の計測ポイント名５２がポイント名称変数Ｐに代入され（ステップＳ２０６）、再びステップＳ２０２〜Ｓ２０５の処理が繰り返される一方、全ての計測ポイント名５２について異常判定処理がされていれば（ステップＳ２０５でＹＥＳ）、判定基準記憶部５に記憶されている判定基準情報５１は、正常な測定結果情報に基づいて調整されているので、ステップＳ２における判定基準調整処理を終了する。
【００４５】
以上、ステップＳ２０１〜Ｓ２０６の処理により、判定基準記憶部５に記憶されている判定基準情報５１は、予め計測された正常な測定結果情報に基づいて自動的に調整されるので、システムの制御モデルや統計等の専門知識を有さないユーザであっても、容易に判定基準情報５１を調整することができる。
【００４６】
図５に戻って、ステップＳ３において、パラメータ設定部１１によって、例えば図４に示す設定画面２１が表示部２に表示される。そして、パラメータ設定部１１によって、例えば、１２月１４日から１２月３０日の１０時における、計測ポイント名「ＲＭ［１］＿ＣＡ」の測定結果情報が、測定値記憶部３から読み出され、設定画面２１に「ＣＯ2濃度」として折れ線グラフ２２で表示される。また、パラメータ設定部１１によって、判定基準記憶部５に記憶されている、判定基準調整部９により調整された後の判定基準情報５１から、計測ポイント名５２「ＲＭ［１］＿ＣＡ」と対応付けられている下限値情報５３「６００」と、上限値情報５４「９５０」とが読み出され、それぞれ下限値ポインタ２３、上限値ポインタ２４として設定画面２１に表示される。
【００４７】
さらに、パラメータ設定部１１によって、判定基準情報５１の厳しさを変化させるユーザからの基準変更指示を受け付けるスライダ２５が、設定画面２１下部に表示される。スライダ２５は、例えば異常値検出の度合いについて、左側に動かされた場合には異常値検出の度合いを少なくし、右側に動かされた場合には異常値検出の度合いを多くする、等、専門知識を有さないユーザであっても容易に操作できるようにされている。
【００４８】
そして、ユーザが、例えば異常診断装置１における空調設備等の異常値検出度合いを少なくしたいと考えた場合、ユーザがマウス１２を用いてスライダ２５を例えば左方向に動かすことにより、マウス１２によって、その動かされた移動量に応じた異常値検出度合いを少なくする旨のユーザからの基準変更指示が受け付けられる。さらに、パラメータ設定部１１によって、異常値検出度合いを少なくする旨のユーザからの基準変更指示に基づいて、例えば判定基準記憶部５に記憶されている判定基準情報５１を緩めるべく、例えば計測ポイント名５２「ＲＭ［１］＿ＣＡ」と対応付けられている下限値情報５３「６００」が減少されたり、上限値情報５４「９５０」が増大されたり、あるいは連続異常回数設定が増大されたりする。
【００４９】
これにより、ユーザは、スライダ２５を左右に動かすことにより、下限値情報５３、上限値情報４４、あるいは連続異常回数設定等の判定基準を変更することができ、システムの制御モデルや統計等の専門知識を有さないユーザであっても、容易に判定基準情報５１を変更することができる。
【００５０】
次に、ステップＳ４において、判断値計算部７と判定部８とによって、測定値記憶部３に記憶された測定結果情報の異常診断が実行される。図８は、ステップＳ４における異常診断処理の詳細を説明するためのフローチャートである。まず、判断値計算部７によって、測定値記憶部３に記憶されている過去の測定結果情報に基づいて、所定の時刻ｔと関連付けられている計測値Ｘｔが過去の一定期間について抽出され、その計測値Ｘｔの標本平均Ｘｔave、及び標準偏差σｔが算出される。例えば、過去１２日間、１２月１４日から１２月３０日の１０時における、「ＣＯ2濃度」すなわち計測ポイント名「ＲＭ［１］＿ＣＡ」の測定結果情報として測定値記憶部３に記憶されている計測値Ｘｔについて、標本平均Ｘｔave、及び標準偏差σｔが算出される（ステップＳ４０１）。
【００５１】
次に、判定部８によって、時刻ｔ、例えば１０時における計測ポイント名「ＲＭ［１］＿ＣＡ」の測定結果情報として測定値記憶部３に記憶されている過去１２日間の計測値Ｘｔについて、判定基準記憶部５に記憶されている判定基準情報５１の計測ポイント名５２「ＲＭ［１］＿ＣＡ」における下限値情報５３「６００」と上限値情報５４「９５０」とで示される正常値の範囲に入っているか否かが判定される。そして、過去１２日間の計測値Ｘｔがすべて正常値の範囲に入っている場合、判定部８によって１０時における計測ポイント名「ＲＭ［１］＿ＣＡ」の測定結果情報は正常であると判断され、次の時刻における測定結果情報の異常診断を行うべくステップＳ４０５へ移行する（ステップＳ４０２で正常範囲内）。
【００５２】
なお、判定部８は、例えば、計測値Ｘｔの代わりに判断値計算部７によって算出された標本平均Ｘｔaveや、標本平均Ｘｔaveに標準偏差σｔを加減算した範囲の値を用いるようにしてもよく、他の判定方法を用いてもよい。
【００５３】
一方、過去１２日間の計測値Ｘｔに正常値の範囲に入っていないものが含まれている場合には（ステップＳ４０２で正常範囲外）、計測値Ｘｔが連続して正常値の範囲外となった連続異常回数が連続異常回数設定の設定値と比較され、連続異常回数が連続異常回数設定の設定値未満であれば、判定部８によって１０時における計測ポイント名「ＲＭ［１］＿ＣＡ」の測定結果情報は正常であると判断され、次の時刻における測定結果情報の異常診断を行うべくステップＳ４０５へ移行する（ステップＳ４０３でＮＯ）一方、連続異常回数が連続異常回数設定の設定値以上であれば、判定部８によって１０時における計測ポイント名「ＲＭ［１］＿ＣＡ」の測定結果情報は異常であると判断され（ステップＳ４０３でＹＥＳ）、判定部８によって表示部２に、異常である旨を通知する表示、例えば「計測したデータは異常です」等の表示が行われ、ユーザに対する警告がなされる（ステップＳ４０４）。
【００５４】
次に、ステップＳ４０５において、判定部８によって、時刻ｔが次の時刻に更新される（ステップＳ４０５）。例えば１０分後、すなわち時刻ｔが１０時１０分に更新され、再びステップＳ４０１〜Ｓ４０５の処理が繰り返される。
【００５５】
以上、ステップＳ４０１〜Ｓ４０５の処理により、測定値記憶部３に記憶されている測定結果情報の異常診断が行われる。そして、ステップＳ１〜Ｓ４の処理により、判定基準情報５１が、まず判定基準初期設定部１０によって初期設定され判定基準調整部９によって調整される。さらに判定基準情報５１及び連続異常回数設定が、パラメータ設定部１１によってユーザから受け付けられた操作指示に応じて適宜変更されるので、システムの制御モデルや統計等の専門知識を有さないユーザであっても、容易に判定基準情報５１等の異常判定を行うためのパラメータを設定することができる。
【００５６】
（第２実施形態）
次に、本発明の第２の実施の形態に係る異常診断装置について説明する。第２の実施の形態に係る異常診断装置の構成は、第１の実施の形態に係る異常診断装置と同様に、図１で示される。第２の実施の形態に係る異常診断装置１と第１の実施の形態に係る異常診断装置１とでは、下記の点で異なる。
【００５７】
すなわち、第２の実施の形態に係る異常診断装置１では、パラメータ設定部１１が有意確率設定部に相当し、図５に示すフローチャートにおける、パラメータ設定部１１によるパラメータ設定動作（ステップＳ３）と、判断値計算部７及び判定部８による異常診断動作（ステップＳ４）が異なる。また、図９に示すように、固有情報記憶部４に記憶されている固有判定情報４１ａには、検出対象となる装置等毎にその装置等を表す識別子情報４２とその装置等において検出された物理量を統計学的仮説検定するための有意確率４５が、当該識別子情報４２と対応付けてさらに予め記憶されている。その他の構成は第１の実施の形態に係る異常診断装置１と同様であるのでその説明を省略し、以下本実施の形態の特徴的な動作について説明する。
【００５８】
図９に示す固有判定情報４１ａにおいて、識別子情報４２における「ＲＭ．＊」、「ＨＰ．＊」、「ＤＢＯ」、及び「ＦＣＵ．＊」には、それぞれ有意確率４５が対応付けられている。ここで、「ＳＯＬ」に対して有意確率４５が設定されていないのは、日射量は天気によってばらつきが大きすぎるため有意確率による判断を行わないからである。また、「．＊＿ＣＡ」、「．＊＿ＴＷ．＊」、及び「．＊＿ＴＡ．＊」の有意確率が設定されていないのは、どの箇所、どの設備における計測値なのか確定しないと値のばらつきが決定できないからである。例えば気温であっても、計測する位置によって、ばらつきは異なる。
【００５９】
そして、判定基準初期設定部１０によって、図９に示す固有判定情報４１ａと図１０（ａ）に示す初期状態の判定基準情報５１ａとに基づいて図５に示すステップＳ１と同様の処理が行われることにより、図１０（ｂ）に示す判定基準情報５１ａが生成される。
【００６０】
次に、本実施形態におけるパラメータ設定部１１によるパラメータ設定動作を説明する。まず、パラメータ設定部１１によって、第１の実施形態におけるパラメータ設定部１１の動作と同様にして、図１１に示すように、設定画面２１ａに折れ線グラフ２２、下限値ポインタ２３、及び上限値ポインタ２４が表示される。そして、パラメータ設定部１１によって、判定基準情報５１ａに含まれる有意確率５５を変化させるユーザからの有意確率変更指示を受け付ける有意確率スライダであるスライダ２５ａが、設定画面２１ａ下部に表示される。スライダ２５ａは、例えば左側に動かされた場合には有意確率５５を小さく、右側に動かされた場合には有意確率５５を大きくする、等、ユーザが容易に操作できるようにされている。
【００６１】
そして、ユーザがマウス１２を用いてスライダ２５を例えば左方向に動かすことにより、マウス１２によって、その動かされた移動量に応じた有意確率５５を小さくする旨のユーザからの有意確率変更指示が受け付けられる。さらに、パラメータ設定部１１によって、有意確率５５を小さくする旨のユーザからの有意確率変更指示に基づいて、判定基準記憶部５に記憶されている有意確率５５が小さくされる。これにより、ユーザは、スライダ２５ａを左右に動かすことにより、有意確率５５を容易に変更することができる。
【００６２】
次に、本実施形態におけるステップＳ４での判断値計算部７及び判定部８による異常診断動作について説明する。図１２は、ステップＳ４における異常診断処理の詳細を説明するためのフローチャートである。まず、ステップＳ４１１において、判断値計算部７によって、測定値記憶部３に記憶されている過去の測定結果情報に基づいて、所定の時刻ｔと関連付けられている計測値Ｘｔが過去の一定期間について抽出され、その計測値Ｘｔの標本平均Ｘｔave、及び標準偏差σｔが算出される。例えば、過去１２日間、１２月１４日から１２月３０日の１０時における、「ＣＯ2濃度」、すなわち計測ポイント名「ＲＭ［１］＿ＣＡ」の測定結果情報として測定値記憶部３に記憶されている計測値Ｘｔについて、過去の時刻ｔにおける計測値Ｘｔの標本平均Ｘｔave、過去の時刻ｔにおける計測値Ｘｔの標準偏差σｔ、及び検定に必要なサンプル数ｎ（例えば、過去１２日間の標本平均、及び標準偏差を算出したのであればｎ＝１２）が算出される。
【００６３】
そして、判断値計算部７によって、計測値Ｘｔ、標本平均Ｘｔave、及び標準偏差σｔに基づいて、下記の式（１）に従って、時刻ｔにおける検定統計量Ｔｔが算出される。
Ｔｔ＝（Ｘｔ−Ｘｔave）／σｔ・・・（１）
【００６４】
次に、判定部８によって、時刻ｔ、例えば１０時における計測ポイント名「ＲＭ［１］＿ＣＡ」の測定結果情報として測定値記憶部３に記憶されている過去１２日間の計測値Ｘｔについて、統計的仮説検定、例えばスミルノフグラブス検定やディクソン検定等を用いて異常判定が行われる。例えばスミルノフグラブス検定においては、以下の仮説を立てる。
「帰無仮説Ｈ0：計測したデータは異常値ではない」
「対立仮説Ｈ1：計測したデータは異常値である」
そして、判定部８によって、判定基準記憶部５に記憶されている判定基準情報５１の計測ポイント名５２「ＲＭ［１］＿ＣＡ」における、パラメータ設定部１１による変更後の有意確率５５「０．９９」が、有意確率Ｐとされ、有意確率Ｐにおける統計量αが算出される。
【００６５】
さらに、判定部８によって、時刻ｔにおける検定統計量Ｔｔと統計量αとが比較され、Ｔｔ＞αのとき、帰無仮説Ｈ0が採択され、すなわち１０時における計測ポイント名「ＲＭ［１］＿ＣＡ」の測定結果情報が正常と判断され、次の時刻における測定結果情報の異常診断を行うべくステップＳ４１５へ移行する（ステップＳ４１２で正常）。一方、Ｔｔ≦αのとき、対立仮説Ｈ1が採択され、すなわち１０時における計測ポイント名「ＲＭ［１］＿ＣＡ」の測定結果情報が異常と判断され（ステップＳ４１２で異常）、さらに連続して異常と判断された連続異常回数が連続異常回数設定の設定値と比較され、連続異常回数が連続異常回数設定の設定値未満であれば、判定部８によって１０時における計測ポイント名「ＲＭ［１］＿ＣＡ」の測定結果情報は正常であると判断され、次の時刻における測定結果情報の異常診断を行うべくステップＳ４１５へ移行する（ステップＳ４１３でＮＯ）一方、連続異常回数が連続異常回数設定の設定値以上であれば、判定部８によって１０時における計測ポイント名「ＲＭ［１］＿ＣＡ」の測定結果情報は異常であると判断され（ステップＳ４１３でＹＥＳ）、判定部８によって表示部２に、異常である旨を通知する表示、例えば「１０時におけるＣＯ2濃度の計測データは異常です」等の表示が行われ、ユーザに対する警告がなされる（ステップＳ４１４）。この場合、判定部８によって異常値と判断された計測値は、不具合箇所、もしくは不具合時のデータとなる。
【００６６】
次に、ステップＳ４１５において、判定部８によって、時刻ｔが次の時刻に更新される（ステップＳ４１５）。例えば１０分後、すなわち時刻ｔが１０時１０分に更新され、再びステップＳ４１１〜Ｓ４１５の処理が繰り返される。
【００６７】
以上、ステップＳ４１１〜Ｓ４１５の処理により、測定値記憶部３に記憶されている測定結果情報の異常診断が行われる。これにより、統計に関する知識が乏しいユーザであっても、容易に異常判定を行うためのパラメータを設定、変更することができる。
【００６８】
（第３実施形態）
次に、本発明の第３の実施の形態に係る異常診断装置について説明する。第３の実施の形態に係る異常診断装置の構成は、第１の実施の形態に係る異常診断装置と同様に、図１で示される。第３の実施の形態に係る異常診断装置１と第１の実施の形態に係る異常診断装置１とでは、下記の点で異なる。
【００６９】
すなわち、第３の実施の形態に係る異常診断装置１では、パラメータ設定部１１が一括パラメータ設定部に相当し、図５に示すフローチャートにおける、パラメータ設定部１１によるパラメータ設定動作（ステップＳ３）が異なる。第３の実施の形態に係る異常診断装置１では、パラメータ設定部１１は、複数の計測ポイント名５２に対応する判定基準が、一のマスタスライダによって一括して変更可能にされている。その他の構成は第１の実施の形態に係る異常診断装置１と同様であるのでその説明を省略し、以下本実施の形態の特徴的な動作について説明する。
【００７０】
図１３は、パラメータ設定部１１によって、表示部２に表示される設定画面２１ｂの一例を示す画面図である。設定画面２１ｂには、判定基準記憶部５に判定基準情報５１として記憶されている複数の計測ポイント名５２それぞれについて、下限値情報５３、上限値情報５４等の判定基準値を変化させるユーザからの個別変更指示を受け付ける個別スライダ２６が表示されている。さらに、設定画面２１ｂには、これら複数の計測ポイント名５２について、判定基準値を一括して変化させるユーザからの一括変更指示を受け付けるマスタスライダ２７が表示されている。
【００７１】
そして、ユーザが、例えば異常診断装置１における空調設備等の異常値検出度合いを少なくしたいと考えた場合、ユーザがマウス１２を用いてマスタスライダ２７を例えば左方向に動かすことにより、マウス１２によって、その動かされた移動量に応じた異常値検出度合いを少なくする旨のユーザからの一括変更指示が受け付けられる。さらに、パラメータ設定部１１によって、異常値検出度合いを少なくする旨のユーザからの一括変更指示に基づいて、例えば判定基準記憶部５に記憶されている判定基準情報５１における各計測ポイント名５２と対応付けられている下限値情報５３が減少されたり、上限値情報５４が増大されたり、その他の判定基準が緩められたりする。
【００７２】
この場合、パラメータ設定部１１によって、各計測ポイント名５２と対応付けられた判定基準はそれぞれ重み付けがされており、マスタスライダ２７の移動量に応じて、各判定基準の重み付けに基づく比率で各判定基準が変更される。そして、パラメータ設定部１１によって変更された判定基準に応じて、各計測ポイント名５２と対応付けられた個別スライダ２６の位置が動かされる。判定基準の重み付けは、例えば外部環境における計測値はばらつきが大きく、制御系の計測値はばらつきが小さいといった統計上の特徴や、各システムでの系統等に応じて行われる。
【００７３】
これにより、ユーザは、マスタスライダ２７を左右に動かすことにより、複数の計測ポイント名５２と対応付けられている判定基準を一括して変更することができ、また、各計測ポイント名５２に対応する判定基準が変化する様子を、個別スライダ２６の位置によって視覚的に確認することができるので、容易に複数の判定基準を変更することができる。
【００７４】
（第４実施形態）
次に、本発明の第４の実施の形態に係る異常診断装置について説明する。第４の実施の形態に係る異常診断装置の構成は、第２の実施の形態に係る異常診断装置と同様に、図１で示される。第４の実施の形態に係る異常診断装置１と第２の実施の形態に係る異常診断装置１とでは、下記の点で異なる。
【００７５】
すなわち、第４の実施の形態に係る異常診断装置１では、パラメータ設定部１１が一括判定条件設定部に相当し、図５に示すフローチャートにおける、パラメータ設定部１１によるパラメータ設定動作（ステップＳ３）が異なる。第４の実施の形態に係る異常診断装置１では、パラメータ設定部１１は、各計測ポイント名５２に対応する複数の判定基準が、一のマスタスライダによって一括して変更可能にされている。その他の構成は第２の実施の形態に係る異常診断装置１と同様であるのでその説明を省略し、以下本実施の形態の特徴的な動作について説明する。
【００７６】
図１４は、パラメータ設定部１１によって、表示部２に表示される設定画面２１ｃの一例を示す画面図である。パラメータ設定部１１によって、第２の実施の形態に係る異常診断装置１の場合と同様に、例えば１０時における、計測ポイント名「ＲＭ［１］＿ＣＡ」の測定結果情報が、測定値記憶部３から読み出され、設定画面２１にＣＯ2濃度を示す折れ線グラフ２２、下限値ポインタ２３、及び上限値ポインタ２４が設定画面２１ｃに表示される。さらに、パラメータ設定部１１によって、判定基準情報５１の厳しさを表すユーザからの検出度合いＺの入力を受け付ける条件変更スライダであるスライダ２５ｃが設定画面２１に表示され、スライダ２５ｃの右側には、パラメータの詳細設定を要求するユーザからの要求指示を受け付ける詳細ボタン２８が表示される。
【００７７】
また、パラメータ設定部１１によって、例えばユーザがマウス１２を用いてスライダ２５ｃが左側に動かされたことが検出された場合には「ＣＯ2濃度」の判定基準を厳しくするべく検出度合いＺの値が小さくされ、右側に動かされた場合には「ＣＯ2濃度」の判定基準をゆるめにするべく検出度合いＺの値が大きくされる。
【００７８】
そして、パラメータ設定部１１によって、例えば統計的仮説検定によって異常検出をするために用いられるパラメータである標準偏差σｔと、図１２のステップＳ４１３における連続異常回数Ｎと、のように「ＣＯ2濃度」の判定に用いられる複数のパラメータが、ユーザによるスライダ２５ｃの移動操作に応じて受け付けられた検出度合いＺの値に基づいて、一括して変更される。
【００７９】
具体的には、標準偏差σｔと連続異常回数Ｎとは、検出度合いＺ、標準偏差σｔのウェイトＷσ、連続異常回数ＮのウェイトＷNに基づき以下の式（２）を満足するように変更される。
Ｚ＝ＷNＸ1＋ＷσＸ2  ・・・（２）
但し、Ｘ1は連続異常回数Ｎ、Ｘ2は標準偏差σｔの係数（ａσのａに相当）
ＷN＋Ｗσ＝１、ＷN，Ｗσ≧０
例えば、ＷN＝Ｗσ＝０．５とすると、Ｘ1とＸ2、すなわち連続異常回数Ｎと標準偏差σｔとの関係は、図１５のグラフで示される。なお、例えば、連続異常回数Ｎと標準偏差σｔとのウェイト比ＷN／Ｗσを、パラメータとして設定可能としてもよい。
【００８０】
さらに、マウス１２によって、ユーザにより詳細ボタン２８がクリックされたことが受け付けられると、パラメータ設定部１１によって、図１６に示す詳細設定画面２９が表示部２に表示される。詳細設定画面２９には、標準偏差σｔを設定する個別スライダ３０と、連続異常回数Ｎを設定する個別スライダ３１とが表示される。そして、ユーザは、個別スライダ３０，３１を自由に設定できるようにされている。これにより、統計や空調に詳しいユーザは、個別スライダ３０，３１を用いて標準偏差σｔと連続異常回数Ｎとを個別に変更することができる。
【００８１】
これにより、統計知識に乏しいユーザは、単一のスライダ２５ｃを用いて異常判定を行うためのパラメータを容易に設定、変更することができ、より専門的な知識を有するユーザは、個別スライダ３０，３１を用いてより詳細にパラメータを設定することができる。
【００８２】
（第５実施形態）
次に、本発明の第５の実施の形態に係る異常診断装置について説明する。第５の実施の形態に係る異常診断装置の構成は、第２の実施の形態に係る異常診断装置と同様に、図１で示される。第５の実施の形態に係る異常診断装置１と第２の実施の形態に係る異常診断装置１とでは、下記の点で異なる。
【００８３】
すなわち、第５の実施の形態に係る異常診断装置１では、判定部８は、計数部、異常判定部、回数比率算出部、平均値算出部、及び平均比率算出部を含み、原因箇所の推論機能を有し、判定部８によって計測値が異常であると判断された場合、判定部８によって、原因箇所が推定され、その原因箇所が原因であることの確からしさを表すヒット率が、回数ヒット率表示部である表示部２に表示される。その他の構成は第２の実施の形態に係る異常診断装置１と同様であるのでその説明を省略し、以下本実施の形態の特徴的な動作について説明する。
【００８４】
まず、判定部８によって、第２の実施の形態に係る異常診断装置１の場合と同様に測定値記憶部３に記憶されている計測値が異常であると判定された場合、計測値が、判定基準記憶部５に記憶されている判定基準情報５１ａの下限値情報５３と上限値情報５４とで示される範囲を超過した量が積算され、この積算値を最大値で正規化したヒット率が、表示部２に表示される。
【００８５】
具体的には、まず、平均値算出部である判定部８によって、予め設定された所定の期間である過去数日間の一定の時刻ｔにおける各計測ポイント毎の計測値Ｘｔが抽出され、各計測値毎の平均値である計測値Ｘｔの標本平均Ｘｔaveが算出される。そして、平均比率算出部である判定部８によって、例えば判定基準記憶部５に記憶されている判定基準である判定基準情報５１ａにおける計測ポイント名５２「ＲＭ［１］＿ＣＡ」の下限値情報５３で示される下限値Ｄと上限値情報５４で示される上限値Ｕとに基づき、計測値Ｘｔが下限値Ｄと上限値Ｕとで示される正常範囲を超過した量の比率ρが、以下の式によって算出される。
Ｘｔ＞Ｕの場合：ρ＝（Ｘｔ―Ｕ）／Ｘｔave
Ｘｔ＜Ｕの場合：ρ＝（Ｄ―Ｘｔ）／Ｘｔave
それ以外の場合：ρ＝０
【００８６】
そして、ρが、判定部８によって異常診断の対象期間について積算される。その積算値が大きければ、より下限値Ｄと上限値Ｕとで示される範囲を逸脱していることになるので、その積算値が最も大きいものが判定部８によって「ヒット率が高い」と判断される。この場合、下限値Ｄと上限値Ｕとで示される範囲を超過した量ではなく、その超過量を標本平均Ｘｔaveで除した比率を積算することにより、計測値における単位の違いや、オフセットの影響が低減される。
【００８７】
さらに、判定部８によって、各計測ポイントにおけるρの積算値が、各計測ポイントにおけるρの積算値の最大値によって除算され、その除算値としてヒット率が得られる。ρの積算値の最大値によって除算を行うのは、ヒット率を１００％以下に丸めるためである。
【００８８】
なお、判定部８は、例えば図８に示すフローチャートにおけるステップＳ４０３において、連続異常回数が連続異常回数設定の設定値以上であった場合に、連続異常回数設定における設定値の連続異常回数に対する比率を百分率で表したものをヒット率として表示部２に表示させてもよい。
【００８９】
そして、判定部８によって、ヒット率が高い順に、ヒット率とそのヒット率に対応する計測ポイント名とが、例えば図１７に示すように、回数ヒット率表示部である表示部２に表示される。
【００９０】
これにより、計測値が異常と判定された場合、測定値記憶部３に記憶されている過去の測定結果情報に基づいて、その異常原因として推定される箇所の計測ポイント名をヒット率が高い順に表示部２に表示することができ、ユーザに異常箇所の推定結果を通知することができる。
【図面の簡単な説明】
【００９１】
【図１】本発明の一実施形態に係る異常診断装置の構成の一例を説明するためのブロック図である。
【図２】図１に示す固有情報記憶部に記憶されている固有判定情報の一例を示す図である。
【図３】図１に示す判定基準記憶部に記憶されている判定基準情報の一例を示す図である。
【図４】本発明の第１の実施形態に係るパラメータ設定部によって表示部に表示される設定画面の一例を示す画面図である。
【図５】本発明の一実施形態に係る異常診断装置の動作の一例を示すフローチャートである。
【図６】図５に示す判定基準初期設定処理の詳細の一例を示すフローチャートである。
【図７】図５に示す判定基準調整処理の詳細の一例を示すフローチャートである。
【図８】本発明の第１の実施形態に係る異常診断処理の詳細の一例を説明するためのフローチャートである。
【図９】図１に示す固有情報記憶部に記憶されている固有判定情報の一例を示す図である。
【図１０】図１に示す判定基準記憶部に記憶されている判定基準情報の一例を示す図である。
【図１１】本発明の第２の実施形態に係るパラメータ設定部によって表示部に表示される設定画面の一例を示す画面図である。
【図１２】本発明の第２の実施形態に係る異常診断処理の詳細の一例を説明するためのフローチャートである。
【図１３】本発明の第３の実施形態に係るパラメータ設定部によって表示部に表示される設定画面の一例を示す画面図である。
【図１４】本発明の第４の実施形態に係るパラメータ設定部によって表示部に表示される設定画面の一例を示す画面図である。
【図１５】本発明の第４の実施形態に係る連続異常回数Ｎと標準偏差σｔとの関係を示すグラフである。
【図１６】本発明の第４の実施形態に係るパラメータ設定部によって表示部に表示される詳細設定画面の一例を示す画面図である。
【図１７】本発明の第５の実施形態に係る異常箇所の推定結果通知画面の一例を示す画面図である。
【符号の説明】
【００９２】
１    異常診断装置
２    表示部（グラフ表示部、回数ヒット率表示部）
３    測定値記憶部（正常履歴データ記憶部）
４    固有情報記憶部（固有判定基準記憶部）
５    判定基準記憶部（計測値判定基準記憶部）
６    データ取得部
７    判断値計算部
８    判定部（計数部、異常判定部、回数比率算出部、平均値算出部、平均比率算出部）
９    判定基準調整部
１０  判定基準初期設定部
１１  パラメータ設定部（有意確率設定部、一括パラメータ設定部、一括判定条件設定部）
１２  マウス
１３  センサ
２１，２１ａ，２１ｂ，２１ｃ  設定画面
２２  折れ線グラフ
２３  下限値ポインタ
２４  上限値ポインタ
２５  スライダ
２５ａ  スライダ（有意確率スライダ）
２５ｃ  スライダ（条件変更スライダ）
２６  個別スライダ
２７  マスタスライダ
２８  詳細ボタン
２９  詳細設定画面
３０，３１  個別スライダ
４１，４１ａ  固有判定情報
４２  識別子情報
４３  下限値情報（固有判定基準）
４４  上限値情報（固有判定基準）
４５  有意確率
５１，５１ａ  判定基準情報
５２  計測ポイント名
５３  下限値情報（判定基準）
５４  上限値情報（判定基準）
５５  有意確率
【図１】
2005284405.tif 000003
【図２】
2005284405.tif 000004
【図３】
2005284405.tif 000005
【図４】
2005284405.tif 000006
【図５】
2005284405.tif 000007
【図６】
2005284405.tif 000008
【図７】
2005284405.tif 000009
【図８】
2005284405.tif 000010
【図９】
2005284405.tif 000011
【図１０】
2005284405.tif 000012
【図１１】
2005284405.tif 000013
【図１２】
2005284405.tif 000014
【図１３】
2005284405.tif 000015
【図１４】
2005284405.tif 000016
【図１５】
2005284405.tif 000017
【図１６】
2005284405.tif 000018
【図１７】
2005284405.tif 000019